(57)【特許請求の範囲】
【請求項１】
固定基板に固定された第１ガイド軸と、該第１ガイド軸にほぼ平行に設けられた第２ガイド軸とを備え、該第２ガイド軸の一端は、該固定基板に設けられた第１支持部材により回動可能に支持され、且つ、該第２ガイド軸の他端は、該固定基板に設けられた第２支持部材にて回動可能に支持される調整部材の取付け孔への嵌合により支持され、該第１ガイド軸と、該第２ガイド軸とにより、光学式ピックアップのディスクの径方向への移動を可能に支持させた光学式ピックアップのガイド軸固定装置であって、
前記調整部材の回動中心軸と、該調整部材の前記取付け孔の中心軸とを一致しない関係とさせることで、前記第２支持部材に対する前記調整部材の回動中心軸と、前記第２ガイド軸の中心軸との関係が偏芯関係とされ、該調整部材の軸部の先端部に調整用の平面部が設けられ、該平面部は、該軸部の両側に互いに平行になるように形成され、該調整部材を回転させると、該第２ガイド軸も回転されることを特徴とする光学式ピックアップのガイド軸固定装置。
【発明の詳細な説明】
【０００１】
【発明の属する技術分野】
本発明は、光学式ピックアップを移動可能に支持するガイド軸を固定する装置に関するものである。
【０００２】
【従来の技術】
最近製品化されてきたＤＶＤ方式のディスクプレーヤーが発売されているが斯かるＤＶＤ方式のディスクは記録密度が高密度であるため、信号を読み取るためのレーザービームは、ＣＤ方式のディスクより小さなスポットにする必要があるとともにディスク面に対して光学式ピックアップの光軸が垂直になるように取付ける必要がある。
【０００３】
【発明が解決しようとする課題】
高密度記録されているディスクより信号を正確に読み取るためには光学式ピックアップの光軸をディスク面に対して垂直にする必要があり、斯かる光軸をディスク面に対して垂直にするための調整、即ちスキューと呼ばれる調整を行なうように構成されている。斯かる調整を行なう技術としてはターンテーブルの光学式ピックアップに対する角度を調整する方式があるが正確に調整することが困難であった。
【０００４】
本発明は、斯かる点を改良したガイド軸固定装置を提供しようとするものである。
【０００５】
【課題を解決するための手段】
本発明の請求項１に記載の光学式ピックアップのガイド軸固定装置は、固定基板に固定された第１ガイド軸と、該第１ガイド軸にほぼ平行に設けられた第２ガイド軸とを備え、該第２ガイド軸の一端は、該固定基板に設けられた第１支持部材により回動可能に支持され、且つ、該第２ガイド軸の他端は、該固定基板に設けられた第２支持部材にて回動可能に支持される調整部材の取付け孔への嵌合により支持され、該第１ガイド軸と、該第２ガイド軸とにより、光学式ピックアップのディスクの径方向への移動を可能に支持させた光学式ピックアップのガイド軸固定装置であって、前記調整部材の回動中心軸と、該調整部材の前記取付け孔の中心軸とを一致しない関係とさせることで、前記第２支持部材に対する前記調整部材の回動中心軸と、前記第２ガイド軸の中心軸との関係が偏芯関係とされ、該調整部材の軸部の先端部に調整用の平面部が設けられ、該平面部は、該軸部の両側に互いに平行になるように形成され、該調整部材を回転させると、該第２ガイド軸も回転されることを特徴とするものである。
【０００６】
【実施例】
図１は本発明の一実施例を示す斜視図、図２は本発明の要部を示す拡大斜視図、図３は要部を示す斜視図である。
【０００７】
図１において、１は固定基板であり、ディスクを回転させるスピンドルモータ（図示せず）が取付けられる取付け基板２がネジ３によって固定されている。４は固定基板１に固定されている第１ガイド軸、５は前記第１ガイド軸４にほぼ平行に設けられる第２ガイド軸であり、一端は固定基板１にネジ６により固定されている第１支持部材７により回動可能に支持されている。８は前記固定基板１にネジ９によって固定されている第２支持部材であり、円形の取付け孔８Ａが形成されている。
【０００８】
１０は前記第２支持部材８に形成されている取付け孔８Ａに軸部１０Ａが回動可能に嵌合されている調整部材であり、前記第２ガイド軸５の端部が嵌合される取付け孔１０Ｂが形成されている。また、１０Ｃは前記調整部材１０の軸部１０Ａの先端部に設けられている調整用の平面部であり、該軸部１０Ａの両側に互いに平行になるように形成されているとともに図示したように調整部材１０より突出するように構成されている。図３において、調整部材１０の回動中心軸Ｐと取付け孔１０Ｂの中心軸Ｑとは一致しない関係、即ち偏芯関係になるように構成されている。
【０００９】
１１は光学式ピックアップ（図示せず）が固装されているピックアップ支持部材であり、前記第１ガイド軸４に支持されている第１腕部１１Ａ及び前記第２ガイド軸５により支持されている第２腕部１１Ｂが形成されている。前記第１腕部１１Ａには前記第１ガイド軸４が挿通される孔１２が形成され、また前記第２腕部１１Ｂには前記第２ガイド軸５が係合されるＵ字溝１３が形成されている。斯かる構成によれば前記ピックアップ支持部材１１は、前記第１ガイド軸４及び第２ガイド軸５とによってディスクの径方向、即ち矢印Ａ方向及びＢ方向への移動を可能に支持されることになる。
【００１０】
１４は前記ピックアップ支持部材１１に形成されている第１腕部１１Ａに取付け固定されているラック歯車、１５は固定基板１に回転可能に取付けられているとともに前記ラック歯車１４と常時噛み合った状態にある伝達歯車であり、その下部には電動機１６の回転軸１６Ａに固着されているウオーム歯車１７と噛み合った状態にある大径歯車１８が一体形成されている。
【００１１】
以上の如く本発明は構成されているが、つぎに動作について説明する。前記ピックアップ支持部材１１は第１ガイド軸４及び第２ガイド軸５によってディスクの径方向への変位を可能に支持されており、斯かる状態において、電動機１６が回転するとその回転がウオーム歯車１７、大径歯車１８及び伝達歯車１５を介して前記ラック歯車１４に伝達されるので、前記ピックアップ支持部材１１は径方向に移動せしめられることになる。従って、ディスクに記録されている信号を光学式ピックアップにより読み取ることが出来る。
【００１２】
以上の如く光学式ピックアップの移動動作は行われるが、次にディスク面に対する光軸の調整、スキュー調整について説明する。斯かる調整は調整部材１０の軸部１０Ａの先端部に設けられている平面部１０Ｃを治具によって掴み、第２支持部材８の取付け孔８Ａ内において回転させることにより行われる。前記調整部材１０を回転させると第２ガイド軸５も回転するが、このとき該第２ガイド軸５の回動中心軸、即ち取付け孔１０Ｂの中心軸Ｑが前記調整部材１０の回動中心軸Ｐに対して偏芯しているため、前記第２ガイド軸５は第１支持部材７を支点として上下方向、即ち矢印Ｃ方向及びＤ方向へ変位することになる。このように前記第２ガイド軸５が変位する結果、光学式ピックアップより照射される光ビームの軸とディスク面との角度が変化することになるのでスキュー調整することが出来る。
【００１３】
また、本実施例において、調整部材１０が支持される第２支持部材８を矢印Ａ方向の端部、即ちディスクの外周側に設けたので最も面ブレが大きくなる位置におけるスキュー調整が行われることになる。従って、ディスクの内周から外周までのスキュー調整を正確に行なうことが出来る。
【００１４】
【発明の効果】
請求項１記載の発明によれば、固定基板に固定された第１ガイド軸と、第１ガイド軸にほぼ平行に設けられた第２ガイド軸とを備え、第２ガイド軸の一端は、固定基板に設けられた第１支持部材により回動可能に支持され、且つ、第２ガイド軸の他端は、固定基板に設けられた第２支持部材にて回動可能に支持される調整部材の取付け孔への嵌合により支持され、第１ガイド軸と、第２ガイド軸とにより、光学式ピックアップのディスクの径方向への移動を可能に支持させた光学式ピックアップのガイド軸固定装置であって、調整部材の回動中心軸と、調整部材の取付け孔の中心軸とを一致しない関係とさせることで、第２支持部材に対する調整部材の回動中心軸と、第２ガイド軸の中心軸との関係が偏芯関係とされ、調整部材の軸部の先端部に調整用の平面部が設けられ、平面部は、軸部の両側に互いに平行になるように形成され、調整部材を回転させると、第２ガイド軸も回転されるようにしたので、前記調整部材を回動させることにより第２ガイド軸を変位させることが出来、その変位動作により光学式ピックアップより照射される光ビームの光軸をディスク面に対して最適な状態にするためのスキュー調整を正確に行なうことが出来る。
【図面の簡単な説明】
【図１】本発明の一実施例を示す斜視図である。
【図２】本発明の要部を示す拡大斜視図である。
【図３】本発明の要部を示す斜視図である。
【符号の説明】
１      固定基板
４      第１ガイド軸
５      第２ガイド軸
７      第１支持部材
８      第２支持部材
１０    調整部材
１０Ａ 軸部
１０Ｂ 取付け孔
１０Ｃ 平面部
１１    ピックアップ支持部材
１１Ａ  第１腕部
１１Ｂ  第２腕部
Ｐ 回動中心軸
Ｑ 中心軸（取付け孔の中心軸）
【図１】
0003568416.tif 000002
【図２】
0003568416.tif 000003
【図３】
0003568416.tif 000004